(57)【特許請求の範囲】
【請求項１】
（１）組成物であって、
（ａ）エチレンと無水マレイン酸またはその機能的同等物との共重合から得られるコポリマーであって、無水マレイン酸またはその機能的同等物は、前記コポリマー中３から１５重量％の量で存在する、組成物の約５から約９５重量％の量のコポリマー、ならびに
（ｂ）エチレンと極性モノマーとの共重合から得られる少なくとも１種のエチレンコポリマーであって、前記極性モノマーは、前記コポリマー中６から４０重量％の量で存在し、前記コポリマーは、エチレン／酢酸ビニルコポリマー、エチレン／アルキル（メタ）アクリレートコポリマーおよびエチレン／（メタ）アクリレート／一酸化炭素ターポリマーからなる群から選択される、組成物の約５から約９５重量％の量のエチレンコポリマーを含む組成物と、
（２）両面を含む平面ポリオレフィンバナー基材であって、前記組成物は、前記平面ポリオレフィンバナー基材の少なくとも一面に付着している平面ポリオレフィンバナー基材と、を含む再生利用可能なコーテッドバナー基材。
【請求項２】
前記（ａ）のコポリマーが、エチレンと無水マレイン酸との共重合から得られる、請求項１に記載の再生利用可能なコーテッドバナー基材。
【請求項３】
印刷バナーであって、その上に印刷された請求項１に記載のコーテッドバナー基材を含む印刷バナー。
【発明の詳細な説明】
【技術分野】
【０００１】
本発明は、再生利用に適した材料を含むバナー（ｂａｎｎｅｒ）に関する。
【背景技術】
【０００２】
印刷に適したバナー基材は、不織布、織物、編物およびフィルムなどの様々な材料から製造することができ、それらはまた、ポリオレフィン、ポリエステルおよびポリアミドを含む種々のポリマーから製造される。バナー基材上の印刷性を改善するために、コーティングが加えられることもある。一般的なコーティングの一つはポリ塩化ビニルである。また、追加のコーティングは、加工または美的特性を改善させるために適用され得る。
【０００３】
固形廃棄物の問題を増さないように、再生利用可能なコーテッドバナー基材を製造することが望ましい。残念なことに、ポリ塩化ビニルは、その通常のバナー基材との化学的非類似のために再生利用することが困難である。
【発明の概要】
【発明が解決しようとする課題】
【０００４】
必要とされるのは、コーティングとバナー基材とが化学的に適合する、再生利用に適したコーテッドバナー基材である。この種のバナーは、バナーをチップに粉砕し、チップを溶融押出機に供給して、新たな製品へのさらなる溶融処理のためのポリマーペレットを調製する単純なプロセスによって再生利用することができる。
【課題を解決するための手段】
【０００５】
（１）組成物であって、（ａ）エチレンと無水マレイン酸またはその機能的同等物との共重合から得られるコポリマーであって、無水マレイン酸またはその機能的同等物が、３から１５重量％の量で前記コポリマー中に存在する、前記組成物の約５から９５重量％の量のコポリマ−、ならびに（ｂ）エチレンと極性モノマーとの共重合から得られる少なくとも１種のエチレンコポリマーであって、前記極性コモノマーは、６から４０重量％の量で前記コポリマー中に存在し、前記コポリマーは、エチレン／酢酸ビニルコポリマー、エチレン／アルキル（メタ）アクリレートコポリマーおよびエチレン／（メタ）アクリレート／一酸化炭素ターポリマーからなる群から選択される、前記組成物の約５から約９５重量％の量のエチレンコポリマー、を含む組成物と、（２）両面を含む平面ポリオレフィンバナー基材であって、前記組成物が、前記平面ポリオレフィンバナー基材の少なくとも一面に付着している平面ポリオレフィンバナー基材と、を含む再生利用可能なコーテッドバナー基材。
【発明を実施するための形態】
【０００６】
再生利用可能なコーテッドバナー基材は、（１）（ａ）エチレンと無水マレイン酸またはその機能的等価物とのコポリマーならびに（ｂ）エチレン／酢酸ビニルコポリマー、エチレン／アルキル（メタ）アクリレートコポリマーおよびエチレン／（メタ）アクリレート／一酸化炭素ターポリマーなどの極性コモノマーとのエチレンコポリマーを含む組成物と、（２）平面ポリオレフィンバナー基材であって、前記組成物は、前記平面ポリオレフィンバナー基材の少なくとも一面に付着している平面ポリオレフィンバナー基材とを含んで製造され得る。
【０００７】
本発明に適した組成物は、参照により本明細書に組み込まれる米国特許出願公開第２００６／０１６０９５２号明細書に開示されている。これらの組成物は、（ａ）エチレンと無水マレイン酸またはその機能的同等物との共重合から得られるコポリマーであって、無水マレイン酸またはその機能的同等物は、コポリマー中に３から１５重量％の量で存在し、前記組成物の約５から約９５重量％の量のコポリマー、ならびに（ｂ）エチレンと極性モノマーとの共重合から得られる少なくとも１種のエチレンコポリマーであって、前記極性コモノマーは、前記コポリマー中６から４０重量％の量で存在し、前記コポリマーは、エチレン／酢酸ビニルコポリマー、エチレン／アルキル（メタ）アクリレートコポリマーおよびエチレン／（メタ）アクリレート／一酸化炭素ターポリマーからなる群から選択される、前記組成物の約５から約９５重量％の量のエチレンコポリマーを含む。色を与え、不透明性を改善し、およびＵＶ安定性を改善するためにさらなる添加剤が添加され得る。
【０００８】
本発明に適した平面ポリオレフィンバナー基材は、両面を有する。基材は、ポリエチレンおよびポリプロピレンのポリオレフィンを含む。基材は、不織布、織物、編物およびフィルムからなる群から選択される。不織布は、メルトスパン、スパンボンドまたはフラッシュスパン法で製造される繊維を含む。
【０００９】
コーテッドバナー基材は、平面ポリオレフィンバナー基材の少なくとも１面に前記組成物を付着させることによって製造される。例えば、この組成物は、基材上に押出コーティングされ得る。また、この組成物は、粉末散布、粉末ドット塗布またはペーストドット塗布で基材に適用され得る。
【００１０】
コーテッドバナー基材は、任意の色であることができ、通常白色である。
【００１１】
コーテッドバナー基材は、所望のメッセージ、デザインまたはイメージを作成するためにインクを用いてその上に印刷され得る。
【実施例】
【００１２】
以降、本発明は、以下の実施例でより詳細に説明される。
【００１３】
再生利用可能なコーテッドバナー基材は、坪量１０８ｇｍ2を有するＴｙｖｅｋ（登録商標）１０８５Ｄ（ＤｕＰｏｎｔから入手できるフラッシュスパン高密度ポリエチレン）に、９５重量％のＥｎｔｉｒａｃｏａｔ（商標）１００（Ｄｕｐｏｎｔから入手できるエチレン酸コポリマー）および５重量％のＡｍｐａｃｅｔ  Ｗｈｉｔｅ  ＵＶ  ＰＥ  ＭＢ８１６３４１（Ａｍｐａｃｅｔ製の不透明性を改善する添加剤）のコーティング組成物で押出コーティングし、それぞれの面に坪量約１００ｇｍ2を与えることによって製造した。
【００１４】
Ｔｙｖｅｋ（登録商標）とＥｎｔｉｒａｃｏａｔ（商標）１００は、化学的に類似であるので、それらは、溶融押出によって容易に再生利用することができる。
以下に本発明の態様を示す。
１．（１）組成物であって、
（ａ）エチレンと無水マレイン酸またはその機能的同等物との共重合から得られるコポリマーであって、無水マレイン酸またはその機能的同等物は、前記コポリマー中３から１５重量％の量で存在する、組成物の約５から約９５重量％の量のコポリマー、ならびに
（ｂ）エチレンと極性モノマーとの共重合から得られる少なくとも１種のエチレンコポリマーであって、前記極性モノマーは、前記コポリマー中６から４０重量％の量で存在し、前記コポリマーは、エチレン／酢酸ビニルコポリマー、エチレン／アルキル（メタ）アクリレートコポリマーおよびエチレン／（メタ）アクリレート／一酸化炭素ターポリマーからなる群から選択される、組成物の約５から約９５重量％の量のエチレンコポリマーを含む組成物と、
（２）両面を含む平面ポリオレフィンバナー基材であって、前記組成物は、前記平面ポリオレフィンバナー基材の少なくとも一面に付着している平面ポリオレフィンバナー基材と、を含む再生利用可能なコーテッドバナー基材。
２．前記（ａ）のコポリマーが、エチレンと無水マレイン酸との共重合から得られる、上記１に記載の再生利用可能なコーテッドバナー基材。
３．前記（ａ）のコポリマーが、エチレンと、マレイン酸および／またはその塩、マレイン酸ジエステル、マレイン酸モノエステル、イタコン酸、フマル酸、フマル酸モノエステル、ならびにこれらの任意の混合物から選択される無水マレイン酸の機能的同等物との共重合から得られる、上記１に記載の再生利用可能なコーテッドバナー基材。
４．前記マレイン酸ジエステルまたはモノエステルが、Ｃ１からＣ４アルコールのエステルである、上記３に記載の再生利用可能なコーテッドバナー基材。
５．前記（ａ）のコポリマーが、エチレンとマレイン酸モノエステルとの共重合から得られる、上記４に記載の再生利用可能なコーテッドバナー基材。
６．前記マレイン酸モノエステルが、マレイン酸水素エチルである、上記５に記載の再生利用可能なコーテッドバナー基材。
７．成分（ｂ）がエチレン／酢酸ビニルコポリマーである、上記２に記載の再生利用可能なコーテッドバナー基材。
８．成分（ｂ）がエチレン／アルキル（メタ）アクリレートコポリマーである、上記２に記載の再生利用可能なコーテッドバナー基材。
９．前記平面ポリオレフィンバナー基材が、ポリエチレンおよびポリプロピレンのポリオレフィンを含む、上記１に記載の再生利用可能なコーテッドバナー基材。
１０．前記平面ポリオレフィンバナー基材が、不織布、織物、編物およびフィルムからなる群から選択される、上記１に記載の再生利用可能なコーテッドバナー基材。
１１．前記不織布が、メルトスパン、スパンボンドまたはフラッシュスパン法で製造される繊維を含む、上記１０に記載の再生利用可能なコーテッドバナー基材。
１２．（ａ）および（ｂ）を含む前記組成物を前記平面ポリオレフィンバナー基材に押出コーティングすることによって製造される、上記１に記載の再生利用可能なコーテッドバナー基材。
１３．粉末散布、粉末ドット塗布またはペーストドット塗布により、（ａ）および（ｂ）を含む組成物を前記平面ポリオレフィンバナー基材に適用することによって製造される、上記１に記載の再生利用可能なコーテッドバナー基材。
１４．印刷バナーであって、その上に印刷された上記１に記載のコーテッドバナー基材を含む印刷バナー。